(57)【特許請求の範囲】
【請求項１】
上蓋を備えた外筒に、底板を備えた内筒が回転自在に差し込まれ、内筒外面の突起が外筒内面のレベル調整溝に挿入され、該レベル調整溝が内筒下端まで伸びた縦溝と、この縦溝の両側に交互に設けた横溝とからなることを特徴とするスリーブ型枠。
【請求項２】
外筒の下部にはシール材が設けられていることを特徴とする請求項１に記載のスリーブ型枠。
【請求項３】
内筒の底板に固定ボルトが取り付けられ、該固定ボルトの下部の固定板が納まるような凹部が底板に設けられたことを特徴とする請求項１に記載のスリーブ型枠。
【請求項４】
請求項１のスリーブ型枠の外筒を内筒から引き抜いて固定ボルトでスラブ型枠に固定し、この固定ボルトで固定された内筒に外筒を被せて所定の長さに調整した後、前記スラブ型枠内にコンクリートを打設することを特徴とする設備配管用開口の構築方法。
【発明の詳細な説明】
【０００１】
【発明の属する技術分野】
本発明はスリーブ型枠およびこれを用いた設備配管用開口の構築方法に関するものである。
【０００２】
【従来の技術】
コンクリート床に形成される設備配管用の開口は、図７の（１）に示すように、上下をガムテープ２８で塞いだ紙製の筒体２９をスラブ型枠３０に設置して形成されている。そして、同図の（２）に示すように、前記筒体２９によって形成された設備配管用の開口３１の上面には蓋３２が設置されている。
【０００３】
【発明が解決しようとする課題】
しかし、上記の設備配管用の開口は紙製の筒体を使用しているため、以下の問題があった。
▲１▼  筒体が廃材になる。
▲２▼  筒体はコンクリートが付着しているためリサイクルができない。
▲３▼  筒体は長いものから床の厚さに応じて切断されるため、その形成に手間がかかる。
▲４▼  開口を塞ぐ蓋が床面からでっぱているため危険であった。
【０００４】
本発明はこれらの問題に鑑みてなされたものであり、その目的は、伸縮可能でかつ転用することができるスリーブ型枠およびこれを用いた設備配管用開口の構築方法を提供することである。
【０００５】
【課題を解決するための手段】
以上の課題を解決するための手段は、請求項１の発明のスリーブ型枠が、上蓋を備えた外筒に、底板を備えた内筒が回転自在に差し込まれ、内筒外面の突起が外筒内面のレベル調整溝に挿入され、該レベル調整溝が縦溝と、この縦溝の両側に交互に設けた横溝とからなることを特徴とし、また請求項２の発明のスリーブ型枠が、請求項１において、外筒の下部にはシール材が設けられていることを特徴とし、また請求項３の発明のスリーブ型枠が、請求項１において、内筒の底板に固定ボルトが取り付けられ、該固定ボルトの下部の固定板が納まるような凹部が底板に設けられたことを特徴とし、また請求項４の発明の設備配管用開口の構築方法が、請求項１のスリーブ型枠の外筒を内筒から引き抜いて固定ボルトでスラブ型枠に固定し、この固定ボルトで固定された内筒に外筒を被せて所定の長さに調整した後、前記スラブ型枠内にコンクリートを打設することを特徴とする。
【０００６】
スリーブ型枠を転用することができるので、脱型後に廃材とならない。スリーブ型枠の長さを床の厚さに応じて調整することができる。開口を塞ぐ蓋の上面と床面とを面一にすることができる。一つのスリーブ型枠により、厚さの異なるスラブに応じた設備配管用開口を簡単に構築することができる。
【０００７】
【発明の実施の形態】
以下、本発明のスリーブ型枠およびこれを用いた設備配管用開口の構築方法の実施の形態を図面に基づいて説明するが、各実施の形態において同じ構成は同じ符号を付して説明し、異なった構成にのみ異なる符号を付して説明する。
【０００８】
図１は、第１の実施の形態のスリーブ型枠１を示したものである。このスリーブ型枠１は上蓋２を備えた円形の外筒３に、底板４を備えた内筒５が回転自在に差し込まれて構成され、内筒外面の突起６が外筒内面のレベル調整溝７に挿入されて内筒５が伸び縮みできるようになっている。前記レベル調整溝７は内筒５の下端まで伸びた縦溝８と、この縦溝８の両側に交互に設けた横溝９とからなり、図２に示すように、突起６が縦溝８にあるときは内筒５がスライドできるが、突起６が横溝９にあるときはスライドできない。また外筒３の下部にゴム片などのシール材１０が設けられるとともに、上蓋２の縁には鍔１１が設けられている。前記シール材１０は内筒５との間にゴムシールを詰め込むようにしてもよい。また内筒５の底板４に内側に引っ込んだ凹部１２が設けられ、この上面には取付孔１３が開口されている。
【０００９】
図３は第２の実施の形態のスリーブ型枠１４を示したものである。このスリーブ型枠１４は、内筒の底板４における凹部１２に固定ボルト１５が取り付けられたものであり、これ以外は前記スリーブ型枠１と同じ構成である。この固定ボルト１５は固定板１６によりスリーブ型枠１４を固定するものである。
【００１０】
次に、第２の実施の形態のスリーブ型枠１４を使用した設備配管用の開口の構築方法について説明する。まず、図４に示すように、外筒３を内筒４から引き抜き、該内筒４から取り外した固定ボルト１５を釘１７でスラブ型枠１８に固定する。そして、内筒４を、取付孔１３に固定ボルト１５を挿入するように設置してナット２０で固定すると、固定板１６が凹部１２内に納まった状態となる。次に、外筒３を、突起６が縦溝８に入るように内筒４に被せ、所定の長さに調整した後に回転させて、突起６を縦溝から横溝９に入れる。このようにスリーブ型枠１４を設置した後、スラブ型枠１８にコンクリート２０を打設する。
【００１１】
次に、図５に示すように、上記のコンクリート２０が硬化した後に、スリーブ型枠１４を脱型すると、上面に差込溝２２を備えた設備配管用の開口２１が形成される。そして、この差込溝２２に差し込まれる鍔片２３を備えた蓋２４を開口２１の上面に設置すると、前記蓋２４の上面と床面とが面一になる。次に、開口２１に排水管２５などを配管し、この排水管２５と開口２１との隙間に断熱材２６を充填するとともに、上部にモルタル２７を充填する。
【００１２】
【発明の効果】
スリーブ型枠を転用することができるので、その脱型後でも廃材とならない。
【００１３】
スリーブ型枠の長さを床の厚さに応じて調整することができる。
【００１４】
開口を塞ぐ蓋の上面を床面と面一にすることができる。
【００１５】
一つのスリーブ型枠により、厚さの異なるスラブに応じた設備配管用開口を簡単に構築することができる。
【図面の簡単な説明】
【図１】（１）は第１の実施の形態のスリーブ型枠の断面図、（２）は（１）のＡ−Ａ線断面図である。
【図２】伸び縮みした第１の実施の形態のスリーブ型枠の断面図である。
【図３】第２の実施の形態のスリーブ型枠の断面図である。
【図４】（１）は第２の実施の形態のスリーブ型枠をスラブ型枠に設置した断面図、（２）は（１）のＢ−Ｂ線断面図である。
【図５】スリーブ型枠を脱型して開口を形成した断面図である。
【図６】開口に排水管を配管した断面図である。
【図７】（１）および（２）は従来の設備配管用の開口の構築方法を示す断面図である。
【符号の説明】
１、１４  スリーブ型枠
２  上蓋
３  外筒
４  底板
５  内筒
６  突起
７  レベル調整溝
８  縦溝
９  横溝
１０  シール材
１１  鍔
１２  凹部
１３  取付孔
１５  固定ボルト
１６  固定板
１７  釘
１８、３０  スラブ型枠
２０  コンクリート
２１、３１  開口
２２  差込溝
２３  鍔片
２４、３２  蓋
２５  排水管
２６  断熱材
２７  モルタル
２８  ガムテープ
２９  筒体
【図１】
0003738197.tif 000002
【図２】
0003738197.tif 000003
【図３】
0003738197.tif 000004
【図４】
0003738197.tif 000005
【図５】
0003738197.tif 000006
【図６】
0003738197.tif 000007
【図７】
0003738197.tif 000008